(57)【特許請求の範囲】
【請求項１】
可搬形デバイスをデジタルＴＶ放送システムに統合するためのシステムであって、
デジタルＴＶシステムに関する対話性規格に準拠した対話型アプリケーションと、
対話性規格に準拠した１つ又は複数のデジタルＴＶ受信機と、
１つのローカル・エリア・ネットワークと、
１つ又は複数の可搬形デバイスと、
１つ又は複数の遠隔エージェントと、
情報と、
コンテンツ（文章、画像、動画、オーディオ、あるいはアプリケーション及びそれらのデータ等のマルチディア・コンテンツ）と、
を備え、
ｉ）前記対話型アプリケーションが放送業者のデジタルＴＶ信号で配信され、
ｉｉ）デジタルＴＶ受信機が放送業者周波数に同調されたとき、当該デジタルＴＶ受信機によって前記対話型アプリケーションがダウンロードされ、且つ実行され、
ｉｉｉ）１つ又は複数のデジタルＴＶ受信機が前記ローカル・エリア・ネットワークに接続され、
ｉｖ）１つ又は複数の可搬形デバイスが、デジタルＴＶ受信機が接続された同じ前記ローカル・エリア・ネットワークに接続され、
ｖ）前記１つ又は複数の遠隔エージェントが前記可搬形デバイスで実行され、
ｖｉ）前記対話型アプリケーションが、前記デジタルＴＶ受信機で利用可能なソフトウェア・インターフェースを使用して、前記ローカル・エリア・ネットワークを介して前記１つ又は複数の遠隔エージェントを発見し、これと通信し、
ｖｉｉ）前記コンテンツと前記情報はデジタルＴＶ信号で配信され、
ｖｉｉｉ）前記コンテンツと前記情報はデジタルＴＶ受信機で受信され、
ｉｘ）前記対話型アプリケーションが前記コンテンツと前記情報を取得し、前記遠隔エージェントに転送し、
ｘ）前記遠隔エージェントが前記コンテンツと前記情報を表示する
ことを特徴とする、システム。
【請求項２】
さらにコマンドを備え、
ｉ）前記コマンドはデジタルＴＶ信号で配信され、
ｉｉ）前記コマンドはデジタルＴＶ受信機で受信され、
ｉｉｉ）前記対話型アプリケーションが前記コマンドを取得し、前記遠隔エージェントに転送し、
ｉｖ）前記遠隔エージェントが前記コマンドに反応する
ことを特徴とする、請求項１に記載のシステム。
【請求項３】
さらに同期イベントを備え、
ｉ）前記同期イベントはデジタルＴＶ信号で配信され、
ｉｉ）前記同期イベントはデジタルＴＶ受信機で受信され、
ｉｉｉ）前記対話型アプリケーションが前記同期イベントを取得し、前記遠隔エージェントに転送し、
ｉｖ）前記遠隔エージェントが前記同期イベントを用いて、前記デジタルＴＶ受信機で表示される前記デジタルＴＶ信号に同期させて、コンテンツを表示する
ことを特徴とする、請求項１に記載のシステム。
【請求項４】
さらにインターネット接続とサーバとを備え、
ｉ）前記インターネット接続は前記ローカル・エリア・ネットワークに接続された、前記デジタルＴＶ受信機と前記可搬形デバイスを含む、全てのデバイスとのアクセスを提供し、
ｉｉ）前記対話型アプリケーションは、前記サーバ内の利用可能なコンテンツを前記遠隔エージェントに通信し、
ｉｉｉ）前記遠隔エージェントは、前記インターネット接続を用いて、前記サーバからの前記コンテンツを取得し、再生することが可能であり、
ｉｖ）前記遠隔エージェントは、前記デジタルＴＶ受信機で表示される前記デジタルＴＶ信号に同期させて、サーバからのコンテンツを表示するために、前記同期イベントを用い得る
ことを特徴とする、請求項３に記載のシステム。
【請求項５】
前記同期イベントを用いて、前記サーバから取得された前記コンテンツが、前記デジタルＴＶ受信機で表示される前記デジタルＴＶ信号に同期させて前記遠隔エージェントによって表示され得ることを特徴とする、請求項４に記載のシステム。
【請求項６】
さらに前記可搬形デバイス内に記憶装置を備え、
ｉ）前記遠隔エージェントは、後で展示するために、前記対話型アプリケーションから受信した前記コンテンツを保存するために、前記可搬形デバイス内の前記記憶装置を用いることが可能なことを特徴とする、請求項１に記載のシステム。
【請求項７】
さらに前記デジタルＴＶ受信器を識別できるようにする情報を備え、
ｉ）前記遠隔エージェントは、１つ以上のデジタルＴＶ受信器が同一のローカル・エリア・ネットワークに接続されている場合に、どのデジタルＴＶ受信器がコンテンツを表示すべきかを選択するために、前記デジタルＴＶ受信器を識別できるようにする前記情報を使用することが可能なことを特徴とする、請求項１に記載のシステム。
【請求項８】
さらにユーザ識別情報を備え、
ｉ）前記ユーザ識別情報は、１つ又は複数のデジタルＴＶ受信器あるいは１つ又は複数の可搬形デバイスに保存でき、
ｉｉ）前記デジタルＴＶ受信器に保存された場合、前記ユーザ識別情報は、前記デジタルＴＶ受信器で実行されている前記対話型アプリケーションにより、前記可搬形デバイスで実行されている１つ又は複数の遠隔エージェントに送られ、
ｉｉｉ）前記可搬形デバイスに保存された場合、前記ユーザ識別情報は、前記可搬形デバイスで実行されている前記遠隔エージェントにより、１つ又は複数のデジタルＴＶ受信器で実行されている前記対話型アプリケーションに送られる
ことを特徴とする、請求項１に記載のシステム。
【請求項９】
前記ユーザ識別情報が、前記遠隔エージェントにより、
将来使用するために前記可搬形デバイスに保存され、
いずれのコンテンツをユーザに提示すべきかを選択し、
インターネット中のサーバに転送するために、
使用されることを特徴とする、請求項８に記載のシステム。
【請求項１０】
さらにユーザ動作情報を備え、
ｉ）前記ユーザ動作情報が、前記遠隔エージェントあるいは前記対話型アプリケーションにより、ユーザの対話に基づいて、収集され、
ｉｉ）前記ユーザ動作情報が、前記可搬形デバイスあるいは前記デジタルＴＶ受信器に保存され、
ｉｉｉ）前記ユーザ動作情報が、サーバに送られ、そして
ｉｖ）前記ユーザ動作情報が、前記遠隔エージェントにより、いずれのコンテンツをユーザに提示すべきかを選択するために使用される
ことを特徴とする、請求項８に記載のシステム。
【請求項１１】
前記システムは、更に、インターネット接続とサーバとを備え、
ｉ）前記インターネット接続は、前記可搬形デバイスに対して、インターネットアクセスを提供し、
ｉｉ）前記コンテンツと前記情報が前記可搬形デバイスで生成される、あるいは前記可搬形デバイスの記憶装置にある、あるいは前記可搬形デバイス上の前記インターネット接続を使用することによって前記サーバから取得され、
ｉｉｉ）前記遠隔エージェントが前記コンテンツと前記情報を取得し、１つ又は複数のデジタルＴＶ受信器で実行されている前記対話型アプリケーションに転送し、
ｉｖ）前記対話型アプリケーションが前記コンテンツと前記情報を表示する
ことを特徴とする、請求項１に記載のシステム。
【請求項１２】
あるいは、
ｉ）前記コマンドがユーザの対話により、前記可搬形デバイスで生成され、
ｉｉ）前記遠隔エージェントが前記コマンドを、１つ又は複数のデジタルＴＶ受信器で実行されている前記対話型アプリケーションに転送し、
ｉｉｉ）前記対話型アプリケーションが前記コマンドに反応するあるいは前記コマンドを記録する
ことを特徴とする、請求項２に記載のシステム。
【請求項１３】
デジタルＴＶ放送信号を用いて情報及びコンテンツを可搬形デバイス内の遠隔エージェントに配信する方法であって、
ａ．デジタルＴＶ放送業者がデジタルＴＶ信号に、
ｉ）可搬形デバイスで表示するための前記情報及びコンテンツと、
ｉｉ）デジタルＴＶシステムに関する対話性規格に準拠している対話型アプリケーションと
を追加するステップと、
ｂ．前記デジタルＴＶ信号に同調させたときに、１つ又は複数のデジタルＴＶ受信機が前記対話型アプリケーションをダウンロードし、且つ実行するステップと、
ｃ．前記対話型アプリケーションが、前記デジタルＴＶ受信機で利用可能なソフトウェア・インターフェースを使用して、
ｉ）ローカル・エリア・ネットワーク内の可搬形デバイス内で実行されている１つ又は複数の遠隔エージェントを発見し、これと通信し、
ｉｉ）前記デジタルＴＶ信号から前記情報及びコンテンツを取得し、
ｉｉｉ）取得された前記情報及びコンテンツを、前記ローカル・エリア・ネットワークを介して、１つ又は複数の遠隔エージェントに転送する
ステップと、
ｄ．前記ローカル・エリア・ネットワークに接続されている可搬形デバイス内で実行されている１つ又は複数の遠隔エージェントが前記対話型アプリケーションから前記情報及びコンテンツを受信し、そして、
ｉ）直ぐに前記情報及びコンテンツをスクリーンに表示する、あるいは
ｉｉ）後で表示するために、前記情報及びコンテンツを保存する、
のいずれかを選択しても良いステップと
を有することを特徴とする方法。
【請求項１４】
前記遠隔エージェントが前記情報及びコンテンツを、前記デジタルＴＶ受信機で表示されるコンテンツに同期させて、表示することを可能とするために、前記対話型アプリケーションにより、１つ又は複数の遠隔エージェントに送られる、同期イベントを備えることを特徴とする請求項１３に記載の方法。
【請求項１５】
デジタルＴＶ放送信号を用いてコマンドを可搬形デバイス内の遠隔エージェントに配信する方法であって、
ａ．デジタルＴＶ放送業者がデジタルＴＶ信号に、
ｉ）前記遠隔エージェントに配信されるべき前記コマンドと、
ｉｉ）デジタルＴＶシステムに関する対話性規格に準拠している対話型アプリケーションと
を追加するステップと、
ｂ．前記デジタルＴＶ信号に同調させたときに、１つ又は複数のデジタルＴＶ受信機が前記対話型アプリケーションをダウンロードし、且つ実行するステップと、
ｃ．前記対話型アプリケーションが、前記デジタルＴＶ受信機で利用可能なソフトウェア・インターフェースを使用して、
ｉ）ローカル・エリア・ネットワーク内の可搬形デバイス内で実行されている１つ又は複数の遠隔エージェントを発見し、これと通信し、
ｉｉ）前記デジタルＴＶ信号から前記コマンドを取得し、
ｉｉｉ）取得された前記コマンドを、前記ローカル・エリア・ネットワークを介して、１つ又は複数の遠隔エージェントに転送するステップ、
ｄ．前記ローカル・エリア・ネットワークに接続されている可搬形デバイス内で実行されている１つ又は複数の前記遠隔エージェントが、前記対話型アプリケーションから前記コマンドを受信し、そして、これに反応するステップと
を有することを特徴とする方法。
【請求項１６】
デジタルＴＶ放送信号に関連付けられ、可搬形デバイスに表示されることを意図されたコンテンツに関して、可搬形デバイス内の遠隔エージェントにシグナリングする方法であって、
ａ．デジタルＴＶ放送業者がデジタルＴＶ信号に、
ｉ）前記デジタルＴＶ放送信号に関連付けられたコンテンツの情報と、
ｉｉ）デジタルＴＶシステムに関する対話性規格に準拠している対話型アプリケーションと
を追加するステップと、
ｂ．前記デジタルＴＶ信号に同調させたときに、１つ又は複数のデジタルＴＶ受信機が前記対話型アプリケーションをダウンロードし、且つ実行するステップと、
ｃ．前記対話型アプリケーションが、前記デジタルＴＶ受信機で利用可能なソフトウェア・インターフェースを使用して、
ｉ）ローカル・エリア・ネットワーク内の可搬形デバイス内で実行されている１つ又は複数の遠隔エージェントを発見し、これと通信し、
ｉｉ）デジタルＴＶ信号から前記デジタルＴＶ放送信号に関連付けられたコンテンツの前記情報を取得し、
ｉｉｉ）前記デジタルＴＶ放送信号に関連付けられたコンテンツの前記取得された情報を、前記ローカル・エリア・ネットワークを介して、１つ又は複数の遠隔エージェントに転送するステップ、
ｄ．前記ローカル・エリア・ネットワークに接続されている可搬形デバイス内で実行されている１つ又は複数の遠隔エージェントが、前記対話型アプリケーションから前記デジタルＴＶ放送信号に関連付けられたコンテンツの前記情報を受信し、そして、
ｉ）前記可搬形デバイス上のインターネット接続を使用するサーバから前記コンテンツを取得するために前記情報を使用し、
ｉｉ）前記コンテンツをスクリーンに表示する
ステップと、
を有することを特徴とする方法。
【請求項１７】
前記遠隔エージェントが前記可搬形デバイス上のインターネット接続を使用するサーバから取得された前記コンテンツを、前記デジタルＴＶ受信機で表示されるコンテンツに同期させて、表示することを可能とするために、前記対話型アプリケーションにより、１つ又は複数の遠隔エージェントに送られる、同期イベントを備えることを特徴とする請求項１６に記載の方法。
【発明の詳細な説明】
【技術分野】
【０００１】
本発明は、電子技術及びシステムの分野に関する。より詳細には、受信機がインターネットに接続されているかどうかにかかわらず、対話形デジタルＴＶ受信機を介して受信されたテレビジョン番組の放送中に、テレビジョンの視聴者が、画面を備えた可搬形デバイスでアプリケーション若しくはマルチメディア・コンテンツを受信できるようにするシステムについて述べる。
【背景技術】
【０００２】
対話形デジタルＴＶ受信機は、チャンネルに合わせたとき無線周波数で受信したコンテンツを、放送業者により設定された元の番組編成に従って完全に表示できるようにする。このコンテンツは、１つ又は複数のビデオ、１つ又は複数のオーディオ・トラック、コンテンツに関するテキスト若しくはグラフィカルな情報、放送業者のデータ、及び対話形アプリケーションを有することのできる集合であり、ブラジルの場合はＡＢＮＴにより、他の国では同様の団体により規定された標準に従って規格化されている。この装置は、１人又は複数のテレビジョン視聴者／ユーザが同時に使用できるという特徴を有する。
【０００３】
画面を備えた可搬形デバイスは、ハードウェア・リソース及びそれ自体のオペレーティングシステムを有する装置である。それは、多機能なプロファイルを有しており、その用途は、一般に、インターネットにアクセスすること、マルチメディア・コンテンツの表示、電子メール、テキストを閲覧し編集すること、ゲームをすることなどである。
【０００４】
今日では、可搬形デバイスを有するますます多くの人々が、放送業者からの番組編成を見ながら可搬形デバイスを同時に使用しているのを見ることができる。
【０００５】
デジタルＴＶ受信機で表示されているコンテンツに関連させて、可搬形デバイスにおけるコンテンツ表示の調整又は操作を行うことのできるいくつかの技術的解決策がある。これらの解決策の実例として、以下のものを挙げることができる。
−  遠隔デバイスにより、ＴＶ番組のオーディオに挿入されたパターン若しくはマークを識別すること、それにより、インターネット・サーバで識別されたパターン若しくはマークに関連付けられた情報が取得され、直ちにユーザに示される。この場合、デジタルＴＶ受信機と可搬形デバイスの間にどんな種類の接続も存在しない。
−  デジタルＴＶ受信機に組み込まれた特定目的の機能を使用すること。このような機能は、ローカル・エリア・ネットワーク（ＬＡＮ：ｌｏｃａｌ  ａｒｅａ  ｎｅｔｗｏｒｋ）中でデバイスを発見する役割を担い、いくつかのパターンを識別するか、又はＴＶ信号から何らかの特有の情報を抽出し、それにより、放送業者及び／又は番組を識別可能にし、この情報を受信し且つ可搬形デバイスに転送して、インターネットのサーバから回収した関連コンテンツを表示できるようにする。
【０００６】
上記で述べた場合では、可搬形デバイスは、抽出された情報又はパターンをサブミットすることにより、インターネット上のサービスにアクセスする必要があり、それにより、同調させた番組又はＴＶチャンネルを識別し、次いで、補足的な情報及びコンテンツを取得できることに留意されたい。これらのすべての機構は一般に、以下の手続きを有すると言うことができる。
１）認識
１．１）デジタルＴＶ信号上のパターンを識別する
１．２）同調させた番組又はチャンネルを識別するためにインターネットで利用可能なサービスプロバイダを調べる
２）同期化
２．１）可搬形デバイス上で表示できるように、識別されたＴＶ番組／チャンネルに関連するコンテンツ及び／又は情報を、インターネットのサーバからダウンロードする。
【０００７】
さらに、オーディオ／ビデオのフィンガープリント／透かしを用いて、コードを挿入するなどいくつかの手動の同期化機構を用いて、又はＴＶ受信機に組み込まれた何らかの特有のソフトウェア・コンポーネントを用いて、セカンドスクリーン又は自動コンテンツ認識（ＡＣＲ：ａｕｔｏｍａｔｉｃ  ｃｏｎｔｅｎｔ  ｒｅｃｏｇｎｉｔｉｏｎ）と同期させる解決策が市販されている。
【０００８】
特許の文脈（ｃｏｎｔｅｘｔ）及び文献において、デジタルＴＶに関連するコンテンツ同期化システムの記載がある。本発明を予想するものではなく、追従するものでもないが、本発明の周辺の参考文献を以下に挙げる。
【０００９】
文献ＢＲ  ＭＵ８６０１３６７−０は、複数のテレビジョン視聴者が対話形デジタルＴＶ番組と同時対話を行うためのシステムを示しており、それにより、何人かのテレビジョン視聴者が同時に、ＴＶセットで表示される対話形デジタルＴＶ番組と対話できるようになる。
【先行技術文献】
【特許文献】
【００１０】
【特許文献１】ＢＲ  ＭＵ８６０１３６７−０
【発明の概要】
【発明が解決しようとする課題】
【００１１】
研究によれば、本発明の教示を予想する、又は示唆する何らかの文献は見出されておらず、したがって、本明細書で提案する解決策は、本発明者らの意見では、現在の技術水準に対して新規性及び特許性を有する。
【課題を解決するための手段】
【００１２】
本発明の革新性は、既存の機構とは大幅に異なっている。
【００１３】
本発明のシステムは以下の構成要素を備える。
・デジタルＴＶ放送業者によりそのＴＶ信号で送信される、デジタルＴＶに対する対話形アプリケーション。
・デジタルＴＶ規格に準拠した、対話形アプリケーションを実行できるデジタルＴＶ受信機、すなわち、対話形デジタルＴＶ受信機。受信機は、対話形アプリケーションを受信し、且つ実行する。このためには、対話形デジタルＴＶ受信機を、放送業者により提供されるデジタルＴＶサービスに同調させる必要がある。
・１つ又は複数のモバイル及び／又は可搬形デバイス、すなわち、画面、スピーカ及び／又はヘッドセット、入力機構（キーボード、タッチスクリーン、ポインタデバイスなど）を備える可搬形デバイス。
・可搬形デバイスで実行される遠隔エージェント、すなわち、対話形アプリケーションに対して適合性のあるアプリケーション。この遠隔エージェントは、ユーザによりこの可搬形デバイスにインストールされる、又は製造者により組み込むことも可能である。遠隔エージェントの実行は、ユーザにより手動で、又は自動的に開始することができる。
・対話形デジタルＴＶ受信機及び可搬形デバイスが接続されるローカルなデータ通信ネットワーク、すなわち、ローカル・データ・ネットワーク。このローカル・データ・ネットワークは、任意選択でインターネットに接続することができ、すべてのデバイスが外部サーバにアクセスできるようになる。
【００１４】
非限定的なものであるが、このシステムの要素は以下の能力を示す。
・対話形アプリケーションは、対話形デジタルＴＶ受信機で利用可能なＡＰＩを用いて、対話形デジタルＴＶ受信機及びこれらのデバイスが接続されるローカル・データ・ネットワークの範囲に存在する可搬形デバイスを自動的に識別する。
・遠隔エージェントは、実行されている可搬形デバイスを対話形アプリケーションにより発見できるようにする。
・対話形アプリケーションは、
・データコンテンツ（アプリケーション及び／又はマルチメディア・コンテンツ）を転送する、且つ／又は受信すること、及び／又は
・コマンドを送る、且つ／又は受信すること
・利用できる場合、対話形デジタルＴＶ受信機を識別できるようにする情報（例えば、製造者、モデル、通し番号など）を遠隔エージェントに転送すること
・利用できる場合、対話形デジタルＴＶ受信機のユーザを識別できるようにする情報（例えば、ユーザ／アカウント識別子、名前、年令、電子メール、郵便番号など）を遠隔エージェントに転送すること
を行うために、１つ又は複数の可搬形デバイスで実行される１つ又は複数の遠隔エージェントと通信、すなわち、接続を確立し、且つ／又は確立できるようにする。
・対話形アプリケーションが、同じローカル・データ・ネットワークにおいて複数の対話形デジタルＴＶ受信機で実行されているときは常に、遠隔エージェントは、ユーザに、どれとの接続を確立すべきかを選択できるようにする。
・対話形アプリケーションは、それに接続された１つ又は複数の可搬形デバイスに対する放送業者から受信したコンテンツの同期化を連続的に維持する。
・１つ又は複数の可搬形デバイスで実行される遠隔エージェントは、独立してユーザと対話し、対話形アプリケーションから受信され、且つデジタルＴＶ信号で送達されたコンテンツを実行又は表示する、或いは代替的に、インターネットのサーバにコンテンツを要求する。
・ユーザが見ていたチャンネルを変更した場合は常に、遠隔エージェントは、新しいチャンネルにおける他の対話形アプリケーションと自動的に接続されることになる。遠隔エージェントは、新しいチャンネルに合わされた放送業者により送られた新しい対話形アプリケーションのコンテンツ及び／又はコマンドを受信する用意がある。
・遠隔エージェントは、デバイスのユーザを識別できるようにする情報を記憶することができる。この情報は、例えば、
・対話形アプリケーションから転送される、又は
・遠隔エージェントの構成インターフェースを介して手動でユーザにより導入される、又は
・可搬形デバイス中のシステム構成及び特性から取得される
などにより取得されたものとすることができる。
【００１５】
この情報は、インターネット上の他のサービスを用いてユーザを自動的に認証するために、又は目標とするコンテンツをユーザの可搬形デバイスで表示するために使用することができる。
【００１６】
したがって、提案するシステムは、デジタルＴＶ番組を見ている間に、複数の可搬形デバイスに無線周波数で送信された元の番組に対してさらなるアプリケーション及びマルチメディア・コンテンツを同期させて、テレビジョン視聴者の体験を大幅に拡張することを目標としている。したがって、本発明のシステムは、これだけに限らないが、以下のファクタを組み合わせて現在の技術水準に関する改良を提供する。
（ｉ）遠隔アプリケーション（可搬形デバイス上で実行される）に従って動作する、無線により送られた対話形アプリケーション（デジタルＴＶ受信機に常駐していない）により、ＴＶと可搬形デバイスの間で、発見／検索、コンテンツ転送、通信、及び対話を行うことを可能にする。こうすることにより、すべての通信が、デジタルＴＶ受信機に事前にインストールされたコンポーネントにより管理され、且つこれらのコンポーネントのインターフェースを介して露出されることを必要とする他の技法とは異なる解決策になる。
（ｉｉ）対話形アプリケーションは、番組編成と共に放送業者のデジタルＴＶ信号で送信される。
【００１７】
可搬形デバイスに表示されるものは、放送業者のデジタルＴＶ信号で送信されるコンテンツに対して同期化される。
【００１８】
したがって、本発明の目的は、インターネットへのアクセスを使用する、又は使用しない、デジタルＴＶ受信機に送信されたコンテンツを複数の可搬形デバイスに同期させるためのシステムである。
【００１９】
システムの具体化において、これは、デジタルＴＶ信号で放送業者により送信された、デジタルＴＶシステムに対する対話性規格に準拠した対話形アプリケーションを備えたシステムである。対話形アプリケーションは、放送業者の周波数に同調させたとき、対話形デジタルＴＶ受信機にダウンロードされ、且つ実行される。この対話形アプリケーションは、対話形デジタルＴＶ受信機で利用可能なソフトウェア・インターフェースを使用して、ローカル・データ・ネットワークを介し、可搬形デバイスで実施される１つ又は複数の適合性のある遠隔エージェントと通信する。
【００２０】
本発明の他の目的は、インターネットへのアクセスを使用する、又は使用しない、複数の可搬形デバイスを用いたデジタルＴＶ受信機へのコンテンツ送信プロセスである。本プロセスの具体化において、そのステップは図１に対応する。
【００２１】
本発明の他の目的は、可搬形デバイスで実行される、且つこのような可搬形デバイスを対話形アプリケーションにより発見できるようにする遠隔エージェントシステムである。
【００２２】
本発明の他の目的は、１つ又は複数の可搬形デバイスで動作する１つ又は複数の遠隔エージェントシステムとの通信／接続を設定する、且つ又は設定できるようにする対話形アプリケーションシステムである。
【００２３】
本発明の他の目的は、前記目的のシステムを備える対話形デジタルＴＶシステムである。
【００２４】
本発明の他の目的は、対話形デジタルＴＶアプリケーションを開発するための前記目的のシステムの使用である。
【００２５】
本発明の他の目的は、前記目的のシステムを備える、デジタルＴＶコンバータを備えたセットトップボックス又はＴＶとしてのデバイスである。
【００２６】
本発明のこれらの、及び他の目的は、当業者により、また本セグメントに関心を有する団体（ｃｏｍｐａｎｉｅｓ）により直ちに有益なものとなろう。またそれらは、以下の記述において、その再現を行えるように十分詳細に述べられている。
【図面の簡単な説明】
【００２７】
【図１】本発明の目標とする解決策を達成するためのシステム構成要素及びその関連の実施形態を示す図である。
【発明を実施するための形態】
【００２８】
図１は、本発明の目標とする解決策を達成するためのシステム構成要素及びその関連の実施形態を示す図であり、参照番号１．１は、対話形アプリケーションがデジタルＴＶ放送信号で送信されることを示し、１．２は、対話形アプリケーションＤ３が対話形デジタルＴＶ受信機Ｄ２によりダウンロードされ、且つ実行されることを示し、１．３は、対話形アプリケーションが、遠隔エージェントのインスタンスが実行されているローカル・データ・ネットワークＤ７で可搬形デバイスを発見することを示し、１．４は、対話形アプリケーションが遠隔エージェントＤ６に向けて同期化イベント、コマンド、情報、及びコンテンツＤ４を送ることを示し、且つ１．５は、インターネットＤ８への接続が利用可能である場合、遠隔エージェントが外部サーバＤ９にアクセスして、情報及びさらなる／補足的なコンテンツを取得できることを示している。
次に、図１の要素の説明を行う。
Ｄ１は放送業者（ＲＤ）に関する；
Ｄ２は対話形デジタルＴＶ受信機（ＲＤＴＶｉ）に関する；
Ｄ３は、放送業者（ＲＤ）により送られた対話形アプリケーション（ＩＡ）に関し、対話形アプリケーション（ＩＡ）は、ＭＡＧＩＣを実施し、デバイス間でマルチメディア・コンテンツ又はアプリケーションの同期化を行うために、ＭＤＰ上のＲＡと通信する。
対話形アプリケーション（ＩＡ）が対話形デジタルＴＶ受信機（ＲＤＴＶｉ）上で何らかのユーザインターフェースを示すことは任意選択である；
Ｄ４は、同期化イベント、コマンド、情報、及びコンテンツに関する；
Ｄ５は、任意のタイプのデータ・ネットワーク又はピアツーピア接続におけるデバイス間の対話性、発見、及び接続を管理するための高度な機構（ＭＡＧＩＣ：ポルトガル語の「Ｍｅｃａｎｉｓｍｏ  Ａｖａｎｚａｄｏ  ｐａｒａ  Ｇｅｒｅｎｃｉａｍｅｎｔｏ  ｄｅ  Ｉｎｔｅｒａｃｔｉｖｉｄａｄｅ，  ｄｅｓｃｏｂｅｒｔａ  ｅ  Ｃｏｎｅｃｔｉｖｉｄａｄｅ」による）に関する；
Ｄ６は、対話形デジタルＴＶ受信機（ＲＤＴＶｉ）により受信されたコンテンツと同期させてコンテンツを表示する可搬形デバイスでホストされる遠隔エージェント（ＲＡ）に関する。ＲＡは、ＭＡＧＩＣ機構を実施し、それにより発見され、且つ対話形アプリケーションと同期化されうるようにし、対話形アプリケーションからコンテンツ、情報、及びコマンドを受け取ることができる；
Ｄ７は、ローカル・データ・ネットワークに関する；
Ｄ８は、インターネットとの接続に関する；且つ
Ｄ９は、インターネット接続を介してアクセス可能な情報及びコンテンツを提供するサービスプロバイダに関する。
【００２９】
本明細書で示す実例は、本発明を実施するいくつかの方法の１つを例示することを目的とするに過ぎず、本発明の範囲を限定するものではない。
【００３０】
本システムは、そのＴＶサービスに組み入れるために、ＴＶ受信機に表示されるマルチメディア・コンテンツ、及びＴＶ信号を補足する情報を、モバイル若しくは可搬形デバイス上に表示する機構をデジタルＴＶ放送業者に提供するプロセス及びアーキテクチャを備える。これらの機構は、発見（ローカル・データ・ネットワークの範囲で）、同期化、送信、及び可搬形デバイスで表示される情報及びマルチメディア・コンテンツの自動更新に関して企図されている。
【００３１】
これらの機構は、所有権のある機能をＴＶ受信機に組み込む必要のない、標準化された対話形デジタルＴＶ受信機で利用可能なリソース及びソフトウェア・インターフェースを用いて、対話形ＴＶアプリケーションにより実施することができる。アーキテクチャ及びプロセスは共に、解決策、その構成、及びそれらの間で交換される情報を形成する要素について述べている。
【００３２】
インターネットへのアクセスを使用する、又は使用しない、複数の可搬形デバイスを介して対話形デジタルＴＶにより送信されたコンテンツ同期化システムは、放送チャンネルに合わされた対話形デジタルＴＶ受信機を有し、且つ１つ又は複数の可搬形デバイスを有するテレビジョン視聴者が、これらのデバイスがインターネットに接続されることを必要とせずに、これらのデバイスで、マルチメディア・コンテンツ、コマンド、及び／又はアプリケーションを自動的に、且つ透過的に受信できるようにすることを目標としている。
【００３３】
最も一般的なコンテンツは次のようなものである。
・テキスト
・画像
・ビデオ
・オーディオ
・アプリケーション及びそのデータ
【００３４】
放送業者は、放送業者で必要なアルゴリズムを有する、デジタルＴＶシステム用に規定された対話性規格（すなわち、Ｇｉｎｇａ、ＭＨＰなど）による対話形アプリケーションを開発し、それをビデオ、オーディオ、及び他の規格化情報と共に、無線周波数でデジタルＴＶシステム用に規定された規格に適合した対話形デジタルＴＶ受信機に送る。この対話形アプリケーション（ＩＡ）は、対話形デジタルＴＶ受信機（ＲＤＴＶｉ）で動作状態にあるとき、ＭＡＧＩＣ（対話性、発見、及び接続を管理するための高度な機構、ポルトガル語の「Ｍｅｃａｎｉｓｍｏ  Ａｖａｎｚａｄｏ  ｐａｒａ  Ｇｅｒｅｎｃｉａｍｅｎｔｏ  ｄｅ  Ｉｎｔｅｒａｃｔｉｖｉｄａｄｅ、  ｄｅｓｃｏｂｅｒｔａ  ｅ  Ｃｏｎｅｃｔｉｖｉｄａｄｅ」による）と名付けられた機構を使用して、対話形デジタルＴＶ受信機と同じ接続環境を共用し、且つインストールされた遠隔エージェント（ＲＡ）を有する可搬形デバイスを識別する。デバイスの位置が突き止められ、利用可能である場合、対話形デジタルＴＶ受信機で動作している対話形アプリケーション（ＩＡ）と、可搬形デバイス上の遠隔エージェント（ＲＡ）との間でコンテンツの転送を、自動的且つ透過的に開始する。コンテンツは、チャンネルに合わされたデジタルＴＶ受信機に、新しい情報及びコマンドが放送業者から送られた瞬間に更新することができる。
【００３５】
テレビジョン視聴者／ユーザがチャンネルを変更した場合、可搬形デバイスでホストされている遠隔エージェント（ＲＡ）は、この新しいチャンネルでもまた、ＭＡＧＩＣを使用する他の対話形アプリケーション（ＩＡ）が送信されている場合、デジタルＴＶ受信機で合わせた新しいチャンネルから新しいコンテンツ及び情報を受信できるようになる。
【００３６】
可搬形デバイスでホストされる遠隔エージェントは、デジタルＴＶ受信機を介して送達されたコンテンツを表示し、且つ／又は動作させる機能を有する。
【００３７】
利点
現在の技術水準で考えられた解決策とは異なり、提案する解決策は、インターネットにアクセスする必要がない。
【００３８】
この解決策は認識段階を必要とせず、このような情報は対話形アプリケーション上で暗黙的なものである。
【００３９】
コンテンツ及び情報は、放送信号中の対話形アプリケーション（ＩＡ）と共に送信されうるので、同期化段階は、インターネットへのアクセスを必要としない。次いで、対話形アプリケーション（ＩＡ）は、これらの情報及びコンテンツをユーザに提示するために、可搬形デバイス上の遠隔エージェントに転送することができる。
【００４０】
テレビジョン視聴者／ユーザに対する利点
デジタルＴＶ信号受信機で表示されている主ビデオに妨害を与えることなく、テレビジョン視聴者／ユーザに対するユーザ体験を、さらなるコンテンツにアクセスすることにより向上させることができる。
【００４１】
放送業者に対する利点
テレビジョン視聴者／ユーザに対してより豊かなコンテンツを提供することが可能になり、聴衆を忠実にし、新しいビジネスモデルを生成し、且つ表示されるコンテンツの制作者への機会の範囲を拡大する。
【００４２】
コンテンツ制作者に対する利点
本発明は、その視聴覚コンテンツからユーザに対してさらなる情報を提供するコンテンツ制作者の能力を拡張することができ、完全性を備えて画面で示される元の／主コンテンツに対して偏った見方を有することがなくなる。
【００４３】
使用例
本発明のいくつかの使用シナリオが以下で述べられる。
【００４４】
シナリオ１
テレビジョン視聴者／ユーザは、デジタルＴＶ受信機で番組を見ており、同時に、可搬形デバイスの画面で、このような番組に同期したマルチメディア・コンテンツを見ることができる。
【００４５】
シナリオ２
テレビジョン視聴者／ユーザは、可搬形デバイスで、放送業者により送信されたコンテンツの代替的なオーディオを、コンテンツに同期させて聞くことができる。
【００４６】
シナリオ３
テレビジョン視聴者／ユーザは、可搬形デバイス中の放送業者により送信されたマルチメディア・アプリケーションを、対話形デジタルＴＶ受信機で合わせたチャンネルに同期させて使用することができる。対話形デジタルＴＶ受信機から可搬形デバイスに送られたアプリケーションは、受信したコンテンツを使用する、又はインターネットのサービスプロバイダのコンテンツにアクセスし、さらに複数の方法で通信を確立して、テレビジョン視聴者／ユーザ体験を向上させることができる。
【００４７】
シナリオ４
テレビジョン視聴者／ユーザは、実例としてであって、限定するものではないが、映画の題名、作者、監督、作者ら、映画の解説、発表年度、及び写真を有する、視聴したコンテンツからの情報に（可搬形デバイスで）アクセスすることができる。
【００４８】
シナリオ５
テレビジョン視聴者／ユーザは、アンケート、テストに回答し、自分の意見を述べることができ、インターネット上の適格なサーバ、又は情報同期化エージェント（対話形デジタルＴＶ受信機により実行される対話形アプリケーションなど）にフィードバックされる。
【００４９】
当業者であれば、本明細書で示された知識を理解されるであろうし、また添付の特許請求の範囲に含まれる、開示された諸実施例及び他の変形形態に含まれる本発明を使用することもできる。
【図１】
0006283318.tif 000002